(57)【要約】      （修正有）【課題】加熱機能付き腸管自動投薬装置を提供する。【解決手段】加熱機能付き腸管自動投薬装置は、気体路と液体路が分離しており、圧力センサにより作動圧力をモニタリングしてエアポンプ１の出力量をリアルタイムに動的に調節することにより、液体貯蔵瓶６内の圧力、液体流量を安定させ、薬液を定圧で病巣部位に到達させる。第１の一方向弁１０とピンチ弁８により液体が逆流してパイプが汚れるのを防止し、制御器により電磁弁のオン・オフを制御し、給気、給液、間欠的な給液及び給気、排出を実現して、温度センサにより温度をモニタリングし、加熱手段７の加熱温度を調節し、人体の快適さを高め、更に、エアポンプの作動時に廃液瓶内が負圧を形成され、廃液を廃液瓶に流し込むことにより、廃液の除去を実現し、感染の発生確率を低下させることができる。【選択図】図１
2020127716.tif 000002
【特許請求の範囲】
【請求項１】
エアポンプ、第１の電磁弁、バッファコンテナ、第１の圧力センサ、第２の電磁弁、液体貯蔵手段、加熱手段、及び制御器を備え、前記エアポンプの出口は前記第１の電磁弁の第１の入口端に接続され、前記第１の電磁弁の出口端は前記バッファコンテナに接続され、前記バッファコンテナは前記第２の電磁弁の入口端に接続され、前記第１の圧力センサは前記バッファコンテナと前記第２の電磁弁の入口端に接続されたパイプに取り付けられ、前記第２の電磁弁の第１の出口端は給気パイプに接続され、前記第２の電磁弁の第２の出口端は前記液体貯蔵手段に連通し、前記液体貯蔵手段は前記加熱手段に接続され、前記加熱手段は給液パイプの一端に接続され、前記給液体パイプの他端は前記給気パイプの他端に接合されて人体内に配置され、前記制御器は前記第１の圧力センサ、前記エアポンプ、前記第１の電磁弁、前記第２の電磁弁に接続され、前記制御器は前記第１の圧力センサがアップロードした圧力数値に基づき、前記エアポンプの回転速度をリアルタイムに調整し、前記第１の電磁弁及び前記第２の電磁弁のオンとオフを制御することを特徴とする加熱機能付き腸管自動投薬装置。
【請求項２】
前記加熱手段内にコイルが設けられ、前記液体貯蔵手段はパイプを介して前記コイルに接続されることを特徴とする請求項１に記載の加熱機能付き腸管自動投薬装置。
【請求項３】
流通パイプと複数の温度センサをさらに備え、前記制御器は前記温度センサに接続され、前記制御器は前記温度センサがアップロードした温度値に基づき、前記加熱手段の加熱温度を調整し、前記流通パイプの両端は前記加熱手段に連通し、複数の前記温度センサはそれぞれ前記加熱手段、前記流通パイプ及び装置内部に取り付けられることを特徴とする請求項２に記載の加熱機能付き腸管自動投薬装置。
【請求項４】
第１の一方向弁をさらに備え、前記第１の一方向弁は前記給気パイプに取り付けられ、前記給気パイプの一端と、前記給液パイプの他端と前記給気パイプの他端の接合位置部との間に配置されることを特徴とする請求項１に記載の加熱機能付き腸管自動投薬装置。
【請求項５】
ピンチ弁をさらに備え、前記ピンチ弁は前記給液パイプに取り付けられ、前記給液パイプの一端と、前記給液パイプの他端と前記給気パイプの他端の接合位置部との間に配置されることを特徴とする請求項１に記載の加熱機能付き腸管自動投薬装置。
【請求項６】
第３の圧力センサをさらに備え、前記第３の圧力センサは前記制御器に接続され、前記第３の圧力センサは前記ピンチ弁と、前記給液パイプの他端と前記給気パイプの他端の接合位置部との間に取り付けられることを特徴とする請求項５に記載の加熱機能付き腸管自動投薬装置。
【請求項７】
第３の電磁弁、第４の電磁弁、廃液手段をさらに備え、前記エアポンプの給気口は前記第３の電磁弁の入口端に接続され、前記第３の電磁弁の第１の出口端は前記第１の電磁弁の第１の入口端に接続され、前記エアポンプの給気口は前記第４の電磁弁の入口端に接続され、前記第４の電磁弁の第１の出口端は前記廃液手段に連通し、前記廃液手段は排出パイプに接続され、前記制御器は前記第３の電磁弁及び前記第４の電磁弁に接続され、前記制御器は前記第３の電磁弁及び前記第４の電磁弁のオンとオフを制御することを特徴とする請求項１に記載の加熱機能付き腸管自動投薬装置。
【請求項８】
第２の一方向弁をさらに備え、前記第２の一方向弁は前記エアポンプの給気口と前記第４の電磁弁の入口端に接続されたパイプに取り付けられることを特徴とする請求項７に記載の加熱機能付き腸管自動投薬装置。
【請求項９】
第２の圧力センサをさらに備え、前記第２の圧力センサは前記制御器に接続され、前記第２の圧力センサは前記第４の電磁弁の第１の出口端と前記廃液手段に連通したパイプに取り付けられることを特徴とする請求項７に記載の加熱機能付き腸管自動投薬装置。
【請求項１０】
前記第１の電磁弁、前記第３の電磁弁、前記第４の電磁弁はいずれも１入口２出口の２位置３方向電磁弁であり、前記第２の電磁弁は２入口１出口の２位置３方向電磁弁であり、前記液体貯蔵手段は液体貯蔵瓶であり、前記廃液手段は廃液瓶であることを特徴とする請求項７に記載の加熱機能付き腸管自動投薬装置。
【発明の詳細な説明】
【技術分野】
【０００１】
本発明は医療機器技術分野に関し、特に加熱機能付き腸管自動投薬装置に関する。
【背景技術】
【０００２】
腸管投薬は経口、注射以外の重要な第３の投薬方法であり、従来の腸管投薬方法の一つは自然重力に依存する吊り下げ浣腸バッグによるもので、もう一つは人工的に推し入れることに依存する針によるものである。この二つの投薬方法は圧力が不安定でかつ非持続的であるため、薬液は直腸までしか到達できず、最大でも直腸とＳ状結腸の接合部までであり、例えば横行結腸などのより深い部位までは到達できず、ましてや回盲部には到達できず、大腸を貫くことなどはできない。また、薬液を加熱保温できず、人体の不快感を容易に起こしやすく、廃液を取り除けず、感染等の問題が極めて生じやすい。
【発明の概要】
【０００３】
従来技術に存在する問題を解消するために、本発明は従来の腸管投薬方法の圧力が不安定でかつ非持続的であり、薬液は直腸までしか到達できず、最大でも直腸とＳ状結腸接合部までであり、例えば横行結腸などのより深い部位までは到達できず、ましてや回盲部には到達できず、大腸を貫くことなどはできず、薬液を加熱保温できず、人体の不快感を容易に起こしやすいという問題を解消した、加熱機能付き腸管自動投薬装置を提供することを目的とする。
【０００４】
本発明は、エアポンプ、第１の電磁弁、バッファコンテナ、第１の圧力センサ、第２の電磁弁、液体貯蔵手段、加熱手段、及び制御器を備え、前記エアポンプの出口は前記第１の電磁弁の第１の入口端に接続され、前記第１の電磁弁の出口端は前記バッファコンテナに接続され、前記バッファコンテナは前記第２の電磁弁の入口端に接続され、前記第１の圧力センサは前記バッファコンテナと前記第２の電磁弁の入口端に接続されたパイプに取り付けられ、前記第２の電磁弁の第１の出口端は給気パイプに接続され、前記第２の電磁弁の第２の出口端は前記液体貯蔵手段に連通し、前記液体貯蔵手段は前記加熱手段に接続され、前記加熱手段は給液パイプの一端に接続され、前記給液パイプの他端は前記給気パイプの他端に接合されて人体内に配置され、前記制御器は前記第１の圧力センサ、前記エアポンプ、前記第１の電磁弁、前記第２の電磁弁に接続され、前記制御器は前記第１の圧力センサがアップロードした圧力数値に基づき、前記エアポンプの回転速度をリアルタイムに調整し、前記第１の電磁弁及び前記第２の電磁弁のオンとオフを制御する加熱機能付き腸管自動投薬装置を提供する。
【０００５】
さらには、前記加熱手段内にコイルが設けられ、前記液体貯蔵手段はパイプを介して前記コイルに接続される。
【０００６】
さらには、流通パイプと複数の温度センサをさらに備え、前記制御器は前記温度センサに接続され、前記制御器は前記温度センサがアップロードした温度値に基づき、前記加熱手段の加熱温度を調整し、前記流通パイプの両端は前記加熱手段に連通し、複数の前記温度センサはそれぞれ前記加熱手段、前記流通パイプ及び装置内部に取り付けられる。
【０００７】
さらには、第１の一方向弁をさらに備え、前記第１の一方向弁は前記給気パイプに取り付けられ、前記給気パイプの一端と、前記給液パイプの他端と前記給気パイプの他端の接合位置部との間に配置される。
【０００８】
さらには、ピンチ弁をさらに備え、前記ピンチ弁は前記給液パイプに取り付けられ、前記給液パイプの一端と、前記給液パイプの他端と前記給気パイプの他端の接合位置部との間に配置される。
【０００９】
さらには、第３の圧力センサをさらに備え、前記第３の圧力センサは前記制御器に接続され、前記第３の圧力センサは前記ピンチ弁と、前記給液パイプの他端と前記給気パイプの他端の接合位置部との間に取り付けられる。
【００１０】
さらには、第３の電磁弁、第４の電磁弁、廃液手段をさらに備え、前記エアポンプの給気口は前記第３の電磁弁の入口端に接続され、前記第３の電磁弁の第１の出口端は前記第１の電磁弁の第１の入口端に接続され、前記エアポンプの給気口は前記第４の電磁弁の入口端に接続され、前記第４の電磁弁の第１の出口端は前記廃液手段に連通し、前記廃液手段は排出パイプに接続され、前記制御器は前記第３の電磁弁及び前記第４の電磁弁に接続され、前記制御器は前記第３の電磁弁及び前記第４の電磁弁のオンとオフを制御する。
【００１１】
さらには、第２の一方向弁をさらに備え、前記第２の一方向弁は前記エアポンプの給気口と前記第４の電磁弁の入口端に接続されたパイプに取り付けられる。
【００１２】
さらには、第２の圧力センサをさらに備え、前記第２の圧力センサは前記制御器に接続され、前記第２の圧力センサは前記第４の電磁弁の第１の出口端と前記廃液手段に連通したパイプに取り付けられる。
【００１３】
さらには、前記第１の電磁弁、前記第３の電磁弁、前記第４の電磁弁はいずれも１入口２出口の２位置３方向電磁弁であり、前記第２の電磁弁は２入口１出口の２位置３方向電磁弁であり、前記液体貯蔵手段は液体貯蔵瓶であり、前記廃液手段は廃液瓶である。
【００１４】
本発明は従来技術に比べ、以下の有益な効果を実現する：
【００１５】
本発明は、エアポンプ、第１の電磁弁、バッファコンテナ、第１の圧力センサ、第２の電磁弁、液体貯蔵手段、加熱手段、及び制御器を備え、エアポンプの出口は第１の電磁弁の第１の入口端に接続され、第１の電磁弁の出口端はバッファコンテナに接続され、バッファコンテナは第２の電磁弁の入口端に接続され、第１の圧力センサはバッファコンテナと第２の電磁弁の入口端に接続されたパイプに取り付けられ、第２の電磁弁の第１の出口端は給気パイプに接続され、第２の電磁弁の第２の出口端は液体貯蔵手段に連通し、液体貯蔵手段は加熱手段に接続され、加熱手段は給液パイプの一端に接続され、給液パイプの他端は給気パイプの他端に接合されて人体内に配置され、制御器は第１の圧力センサ、エアポンプ、第１の電磁弁、第２の電磁弁に接続され、制御器は第１の圧力センサがアップロードした圧力数値に基づき、エアポンプの回転速度をリアルタイムに調整し、第１の電磁弁及び第２の電磁弁のオンとオフを制御することを特徴とする加熱機能付き腸管自動投薬装置を提供する。本発明は、気体路と液体路が分離しており、圧力センサにより作動圧力をモニタリングしてエアポンプ出力量をリアルタイムに動的に調節することにより、液体貯蔵瓶内の圧力を安定させて、液体流量を安定させ、薬液を定圧で病巣部位に到達させ、一方向弁とピンチ弁により液体が逆流してパイプが汚れるのを防止し、制御器により電磁弁をオン・オフに制御し、給気、給液、間欠的な給液及び給気、排出を実現し、診断と治療に有用であり、温度センサにより温度をモニタリングして加熱手段の加熱温度を調節し、加熱手段を流れる液体を熱伝達により加熱して、人体の快適さを高め、エアポンプ作動時に廃液瓶内で負圧を形成して、廃液を廃液瓶に流し込むことにより、廃液の除去を実現し、感染の確率を低下させることができる腸管自動化投薬を実現する。
【００１６】
上記の説明は単に本発明の技術手段の概要に過ぎず、本発明の技術手段をより明確に理解し、明細書の内容に基づいて実施できるよう、以下に図面と合わせて本発明の好ましい実施例により詳細に説明している。本発明の具体的な実施の形態は以下の実施例とその図面により詳細に示される。
【００１７】
ここで説明する図面は本発明をさらに理解するために提供するものであり、本出願の一部を成すが、本発明の概略的な実施例及びその説明は本発明を解釈するためのものであり、本発明を限定するものではない。
【図面の簡単な説明】
【００１８】
【図１】本発明の加熱機能付き腸管自動投薬装置の概略図である。
【００１９】
１  エアポンプ
２  第１の電磁弁
３  バッファコンテナ
４  第１の圧力センサ
５  第２の電磁弁
６  液体貯蔵手段
７  加熱手段
８  ピンチ弁
９  第２の圧力センサ
１０  第１の一方向弁
１１  第３の電磁弁
１２  第４の電磁弁
１３  廃液手段
１４  第３の圧力センサ
１５  第２の一方向弁。
【発明を実施するための形態】
【００２０】
以下、図面と具体的な実施の形態を合わせて本発明をさらに説明する。なお、食い違いが生じない前提で、以下に説明する各実施例間または各技術的特徴間は任意に組み合わせて新しい実施例を形成できる。
【００２１】
図１に示すように、加熱機能付き腸管自動投薬装置であって、エアポンプ１、第１の電磁弁２、バッファコンテナ３、第１の圧力センサ４、第２の電磁弁５、液体貯蔵手段６、加熱手段７、及び制御器を備え、エアポンプ１の出口は第１の電磁弁２の第１の入口端に接続され、第１の電磁弁２の出口端はバッファコンテナ３に接続され、バッファコンテナ３は第２の電磁弁５の入口端に接続され、第１の圧力センサ４はバッファコンテナ３と第２の電磁弁５の入口端に接続されたパイプに取り付けられ、第２の電磁弁５の第１の出口端は給気パイプに接続され、第２の電磁弁５の第２の出口端は液体貯蔵手段６に連通し、液体貯蔵手段６は加熱手段７に接続され、加熱手段７は給液パイプの一端に接続され、給液パイプの他端は給気パイプの他端に接合されて人体内に配置され、制御器は前記第１の圧力センサ４、エアポンプ１、第１の電磁弁２、第２の電磁弁５に接続され、制御器は前記第１の圧力センサ４がアップロードした圧力数値に基づき、エアポンプ１の回転速度をリアルタイムに調整し、第１の電磁弁２及び第２の電磁弁５のオンとオフを制御する。好ましくは、液体貯蔵手段６は液体貯蔵瓶である。気体路と液体路が分離しており、第１の圧力センサ４により作動圧力をモニタリングしてエアポンプ１の出力量をリアルタイムに動的に調節することにより、液体貯蔵瓶内の圧力を安定させて、液体流量を安定させ、薬液を定圧で病巣部位に到達させることができる腸管自動化投薬を実現する。
【００２２】
一つの実施例において、好ましくは、加熱手段７内にコイルが設けられ、液体貯蔵手段６はパイプを介してコイルに接続される。好ましくは、流通パイプと複数の温度センサをさらに備え、制御器は温度センサに接続され、制御器は温度センサがアップロードした温度値に基づき、加熱手段７の加熱温度を調整し、流通パイプの両端は加熱手段７に連通し、流通パイプは加熱手段７内の液体を循環流通させるためのものであり、複数の温度センサはそれぞれ加熱手段７、流通パイプ及び装置内部に取り付けられ、加熱手段７に取り付けられた温度センサは加熱手段７内の温度をモニタリングするためのものであり、流通パイプに取り付けられた温度センサは流通パイプの温度をモニタリングするためのものであり、装置内部に取り付けられた温度センサは装置内の環境温度をモニタリングするためのものである。温度センサにより温度をモニタリングして加熱手段７の加熱温度を調節しており、具体的には、モニタリングされた装置内の環境温度、流通パイプの温度、加熱手段７内の温度をモニタリングして加熱手段７が設定すべき加熱温度を総合的に計算し、加熱手段７内の液体温度をある固定値に維持し、コイルを通った液体が熱伝達により加熱されて、人体の快適さを向上させる。
【００２３】
図１に示すように、好ましくは、第１の一方向弁１０をさらに備え、第１の一方向弁１０は給気パイプに取り付けられ、給気パイプの一端と、給液パイプの他端と給気パイプの他端の接合位置部との間に配置される。好ましくは、ピンチ弁８をさらに備え、ピンチ弁８は給液パイプに取り付けられ、給液パイプの一端と、給液パイプの他端と給気パイプの他端の接合位置部との間に配置される。好ましくは、第３の圧力センサ１４をさらに備え、第３の圧力センサ１４は制御器に接続され、第３の圧力センサ１４はピンチ弁８と、給液パイプの他端と給気パイプの他端の接合位置部との間に取り付けられる。第１の一方向弁１０、ピンチ弁８により液体の逆流、パイプの汚れを防止する。
【００２４】
図１に示すように、好ましくは、第３の電磁弁１１、第４の電磁弁１２、廃液手段１３をさらに備え、エアポンプ１の給気口は第３の電磁弁１１の入口端に接続され、第３の電磁弁１１の第１の出口端は第１の電磁弁２の第１の入口端に接続され、エアポンプ１の給気口は第４の電磁弁１２の入口端に接続され、第４の電磁弁１２の第１の出口端は廃液手段１３に連通し、廃液手段１３は排出パイプに接続され、制御器は第３の電磁弁１１、第４の電磁弁１２に接続され、制御器は第３の電磁弁１１及び第４の電磁弁１２のオンとオフを制御する。好ましくは、廃液手段１３は廃液瓶であり、本実施例において、廃液瓶は使い捨てのドレナージバッグとそれとセットのプラスチックボトルであり、ドレナージバッグはそれとセットのプラスチックボトルに入れて使用する。好ましくは、第２の一方向弁１５をさらに備え、第２の一方向弁１５はエアポンプ１の給気口と第４の電磁弁１２の入口端に接続されたパイプに取り付けられる。好ましくは、第２の圧力センサ９をさらに備え、第２の圧力センサ９は制御器に接続され、第２の圧力センサ９は第４の電磁弁１２の第１の出口端と廃液手段１３に連通したパイプに取り付けられる。エアポンプ１の作動により、廃液瓶内で負圧が形成され、廃液を廃液瓶に流し込むことにより、廃液の除去を実現し、感染の発生概率を低下させる。第２の一方向弁１５により液体の逆流、パイプの汚れを防止する。
【００２５】
一つの実施例において、好ましくは、第１の電磁弁２、第３の電磁弁１１、第４の電磁弁１２はいずれも１入口２出口の２位置３方向電磁弁であり、第２の電磁弁５は２入口１出口の２位置３方向電磁弁である。制御器により第３の電磁弁１１及び第１の電磁弁２のオン、並びに第２の電磁弁５のオン・オフを制御して、給気、給液、間欠的な給液及び給気を実現し、気体により液体を腸壁にさらに均一に付着させ、制御器により第３の電磁弁１１をオフに、第４の電磁弁１２をオンに制御して、廃液の排出を実現する。給気モード：制御器が第３の電磁弁１１、第１の電磁弁２、第２の電磁弁５をオンに制御することで、気体がエアポンプ１の出口を通過して第３の電磁弁１１の入口端に入り、第３の電磁弁１１の第１の出口端を経由して第１の電磁弁２の第１の入口端に入り、それから第１の電磁弁２の出口端を経由してバッファコンテナ３に入り、そして第２の電磁弁５の入口端、第１の出口端に達し、気体は給気パイプを通過して人体の腸管に流れ込む。給液モード：制御器が第３の電磁弁１１及び第１の電磁弁２をオンに、第２の電磁弁５をオフに制御することで、気体がエアポンプ１の出口を通過して第３の電磁弁１１の入口端に入り、第３の電磁弁１１の第１の出口端を経由して第１の電磁弁２の第１の入口端に入り、それから第１の電磁弁２の出口端を経由してバッファコンテナ３に入り、そして第２の電磁弁５の入口端、第２の出口端に達して、液体貯蔵瓶内に空気を入れ、正圧を形成して、液体が人体の腸管に流れ込むように働きかける。間欠的な給液と給気モード：制御器が第３の電磁弁１１及び第１の電磁弁２をオンに制御し、一定の時間の割合で第２の電磁弁５のオンとオフを制御して、気体と液体を一定の割合で人体の腸管に送り込み、気体は液体を腸壁により均一に付着させる。バリウムを腸壁に均一に付着できるのであれば、バリウム造影、ガスバリウムの二重造影に対する価値は大きい。制御器が第１の電磁弁２をオフに制御すると、バッファコンテナ３内の気体が第１の電磁弁２の第２の入口端から排出される。廃液排出モード：制御器が第３の電磁弁１１をオフに、第４の電磁弁１２をオンに制御することで、エアポンプ１の作動により、廃液瓶内で一定の負圧が形成され、廃液が廃液瓶に流れ込み、気体が第３の電磁弁１１の第２の出口端から排出される。
【００２６】
本発明は加熱機能付き腸管自動投薬装置を提供し、エアポンプ１、第１の電磁弁２、バッファコンテナ３、第１の圧力センサ４、第２の電磁弁５、液体貯蔵手段６、加熱手段７、及び制御器を備え、エアポンプ１の出口は第１の電磁弁２の第１の入口端に接続され、第１の電磁弁２の出口端はバッファコンテナ３に接続され、バッファコンテナ３は第２の電磁弁５の入口端に接続され、第１の圧力センサ４はバッファコンテナ３と第２の電磁弁５の入口端に接続されたパイプに取り付けられ、第２の電磁弁５の第１の出口端は給気パイプに接続され、第２の電磁弁５の第２の出口端は液体貯蔵手段６に連通し、液体貯蔵手段６は加熱手段７に接続され、加熱手段７は給液パイプの一端に接続され、給液パイプの他端は給気パイプの他端に接合されて人体内に配置され、制御器は第１の圧力センサ４、エアポンプ１、第１の電磁弁２、第２の電磁弁５に接続され、制御器は第１の圧力センサ４がアップロードした圧力数値に基づき、エアポンプ１の回転速度をリアルタイムに調整し、第１の電磁弁２及び第２の電磁弁５のオンとオフを制御する。本発明は、気体路と液体路が分離しており、圧力センサにより作動圧力をモニタリングしてエアポンプ１の出力量をリアルタイムに動的に調節することにより、液体貯蔵瓶内の圧力を安定させて、液体流量を安定させ、薬液を定圧で回盲部に到達させ、一方向弁とピンチ弁８により液体が逆流してパイプが汚れるのを防止し、制御器により電磁弁のオン・オフを制御して、給気、給液、間欠的な給液及び給気、排出を実現し、気体は液体を腸壁により均一に付着させ、診断と治療に有用であり、医療事故の発生を減らし、温度センサにより温度をモニタリングして加熱手段７の加熱温度を調節し、加熱手段７を流れる液体を熱伝達により加熱して、人体の快適さを高め、エアポンプ１の作動時に廃液瓶内で負圧が形成され、廃液を廃液瓶に流し込むことにより、廃液の除去を実現し、感染の発生確率を低下させることができる腸管自動化投薬を実現できる。
【００２７】
以上は単に本発明の好ましい実施例に過ぎず、如何なる形式においても本発明を限定するものではない。当業者は明細書や図に示された内容と以上の説明に基づき本発明を難なく実施できる。但し当業者が本発明の技術手段を逸脱しない範囲において、以上に公開された技術内容に基づき行った変更、修正、改善などの均等的な変化はいずれも本発明と均等の実施例である。同時に本発明の実質的な技術に基づき、以上の実施例に対して行われた如何なる均等的な変化の変更、修正、改善などはいずれも本発明の技術手段の保護範囲内に含まれると理解されるべきである。
【図１】
2020127716.tif 000003
【外国語明細書】
2020127716000001.pdf